(57)【特許請求の範囲】
【請求項１】
放送局から放送される予め設定された所定の放送日時よりも前に該放送局から提供されたＴＶ番組の映像音声データをデータベースに登録するとともに、該データベースに登録されたＴＶ番組の映像音声データに対して、該ＴＶ番組の映像音声データとともに該放送局から提供された該ＴＶ番組の番組名と放送日時とを対応付けて、管理テーブルに登録する登録手段と、
前記登録手段によりデータベースに登録されたＴＶ番組の映像音声データを外部機器へ送信する送信手段と、
前記外部機器に対する課金処理を実行する課金手段と、
前記外部機器のユーザによって前記放送局から放送される前のＴＶ番組の映像音声データが選択されて該選択されたＴＶ番組の映像音声データの提供要求を該外部機器から取得すると、該ＴＶ番組の映像音声データが前記放送局から放送される放送日時と、該外部機器からの提供要求に応じて前記データベースに登録された選択されたＴＶ番組の映像音声データを前記送信手段から前記外部機器へ送信する送信日時との間の時間的な隔たりに応じて課金金額が異なるように設定された課金表を参照して、該提供要求した外部機器に対して該外部機器から提供要求されたＴＶ番組の映像音声データに対する課金金額を決定し、前記課金手段に該提供要求した外部機器に対して該課金金額の課金処理を行わせた後に、前記送信手段に該外部機器から提供要求されたＴＶ番組の映像音声データを該提供要求した外部機器へ送信させる制御手段とを備える送信装置。
【請求項２】
前記課金金額は、前記放送日時と前記送信日時との間の時間的な隔たりが大きいとき高くなる請求項１記載の送信装置。
【請求項３】
更に、前記ＴＶ番組の映像音声データに挿入されている広告情報を削除する削除手段を備え、
前記送信手段は、前記削除手段により広告情報の削除されたＴＶ番組の映像音声データを前記外部機器に送信する請求項１又は請求項２記載の送信装置。
【請求項４】
登録手段が、放送局から放送される予め設定された所定の放送日時よりも前に該放送局から提供されたＴＶ番組の映像音声データをデータベースに登録するとともに、該データベースに登録されたＴＶ番組の映像音声データに対して、該ＴＶ番組の映像音声データとともに該放送局から提供された該ＴＶ番組の番組名と放送日時とを対応付けて、管理テーブルに登録するステップと、
次いで、制御手段が、外部機器のユーザによって前記放送局から放送される前のＴＶ番組の映像音声データが選択されて該選択されたＴＶ番組の映像音声データの提供要求を該外部機器から取得すると、該ＴＶ番組の映像音声データが前記放送局から放送される放送日時と、該外部機器からの提供要求に応じて前記データベースに登録された選択されたＴＶ番組の映像音声データを送信手段から前記外部機器へ送信する送信日時との間の時間的な隔たりに応じて課金金額が異なるように設定された課金表を参照して、該提供要求した外部機器に対して該外部機器から提供要求されたＴＶ番組の映像音声データに対する課金金額を決定し、課金手段に該提供要求した外部機器に対して該課金金額の課金処理を行わせるステップと、
次いで、前記制御手段が、前記送信手段に前記外部機器から提供要求されたＴＶ番組の映像音声データを前記提供要求した外部機器へ送信させるステップとを有する送信方法。
【請求項５】
放送局から放送される予め設定された所定の放送日時よりも前に該放送局から提供されたＴＶ番組の映像音声データをデータベースに登録するとともに、該データベースに登録されたＴＶ番組の映像音声データに対して、該ＴＶ番組の映像音声データとともに該放送局から提供された該ＴＶ番組の番組名と放送日時とを対応付けて、管理テーブルに登録する登録手段と、前記登録手段によりデータベースに登録されたＴＶ番組の映像音声データを外部機器へ送信する送信手段と、前記外部機器に対する課金処理を実行する課金手段と、前記外部機器のユーザによって前記放送局から放送される前のＴＶ番組の映像音声データが選択されて該選択されたＴＶ番組の映像音声データの提供要求を該外部機器から取得すると、該ＴＶ番組の映像音声データが前記放送局から放送される放送日時と、該外部機器からの提供要求に応じて前記データベースに登録された選択されたＴＶ番組の映像音声データを前記送信手段から前記外部機器へ送信する送信日時との間の時間的な隔たりに応じて課金金額が異なるように設定された課金表を参照して、該提供要求した外部機器に対して該外部機器から提供要求されたＴＶ番組の映像音声データに対する課金金額を決定し、前記課金手段に該提供要求した外部機器に対して該課金金額の課金処理を行わせた後に、前記送信手段に該外部機器から提供要求されたＴＶ番組の映像音声データを該提供要求した外部機器へ送信させる制御手段とを備える送信装置と、
前記送信装置から送信されたコンテンツデータを受信する受信装置とを備える送受信システム。
【請求項６】
送信装置において、登録手段が、放送局から放送される予め設定された所定の放送日時よりも前に該放送局から提供されたＴＶ番組の映像音声データをデータベースに登録するとともに、該データベースに登録されたＴＶ番組の映像音声データに対して、該ＴＶ番組の映像音声データとともに該放送局から提供された該ＴＶ番組の番組名と放送日時とを対応付けて、管理テーブルに登録するステップと、次いで、制御手段が、外部機器のユーザによって前記放送局から放送される前のＴＶ番組の映像音声データが選択されて該選択されたＴＶ番組の映像音声データの提供要求を該外部機器から取得すると、該ＴＶ番組の映像音声データが前記放送局から放送される放送日時と、該外部機器からの提供要求に応じて前記データベースに登録された選択されたＴＶ番組の映像音声データを送信手段から前記外部機器へ送信する送信日時との間の時間的な隔たりに応じて課金金額が異なるように設定された課金表を参照して、該提供要求した外部機器に対して該外部機器から提供要求されたＴＶ番組の映像音声データに対する課金金額を決定し、課金手段に該提供要求した外部機器に対して該課金金額の課金処理を行わせるステップと、次いで、前記制御手段が、前記送信手段に前記外部機器から提供要求されたＴＶ番組の映像音声データを前記提供要求した外部機器へ送信させるステップとを有し、
受信装置において、前記送信装置から送信されたＴＶ番組の映像音声データを受信するステップを有する送受信方法。
【発明の詳細な説明】
【０００１】
【発明の属する技術分野】
本発明は、提供日時が予め決められているＴＶ番組などのようなコンテンツデータを提供日時よりも前や後にユーザに提供できるようにする送信装置及び方法並びに送受信システム及び方法に関する。
【０００２】
【従来の技術】
現在、ＴＶ番組は、放送局により定められた番組スケジュールに従って放送されている。これから、ユーザは、見たいと思うＴＶ番組があると、そのＴＶ番組の放送日時にテレビを付けるように処理している。
【０００３】
ビデオ装置は、この番組スケジュールに従わずにＴＶ番組が見れるようになることを実現する装置ではあるが、ビデオ装置で見れるようになるＴＶ番組は放送済みのＴＶ番組である。
【０００４】
【発明が解決しようとする課題】
このように、従来技術では、ＴＶ番組の放送前に、そのＴＶ番組を見れるようにするシステムは提供されていない。
【０００５】
しかしながら、ユーザの心理として、お金を出してでも、ＴＶ番組の放送前にそのＴＶ番組を見たいと思うことがある。このような要求に対して、従来技術では何の解決策も提供していない。
【０００６】
今後、定期的に発行されるマンガ雑誌などのような雑誌も電子化されて提供されることが予想されるが、この場合にも、ユーザから同様な要求が起こることが予想され、このような要求に応える技術の構築が必要である。
【０００７】
本発明はかかる事情に鑑みてなされたものであって、提供日時が予め決められているＴＶ番組などのようなコンテンツデータを提供日時よりも前や後にユーザに提供できるようにする新たな送信装置及び方法並びに送受信システム及び方法を提供することを目的とする。
【０００８】
【課題を解決するための手段】
この目的を達成するために、本発明の送信装置では、放送局から放送される予め設定された所定の放送日時よりも前に放送局から提供されたＴＶ番組の映像音声データをデータベースに登録するとともに、データベースに登録されたＴＶ番組の映像音声データに対して、ＴＶ番組の映像音声データとともに放送局から提供されたＴＶ番組の番組名と放送日時とを対応付けて、管理テーブルに登録する登録手段と、登録手段によりデータベースに登録されたＴＶ番組の映像音声データを外部機器へ送信する送信手段と、外部機器に対する課金処理を実行する課金手段と、前記外部機器のユーザによって前記放送局から放送される前のＴＶ番組の映像音声データが選択されて該選択されたＴＶ番組の映像音声データの提供要求を該外部機器から取得すると、該ＴＶ番組の映像音声データが放送局から放送される放送日時と、外部機器からの提供要求に応じてデータベースに登録された選択されたＴＶ番組の映像音声データを送信手段から外部機器へ送信する送信日時との間の時間的な隔たりに応じて課金金額が異なるように設定された課金表を参照して、提供要求した外部機器に対して外部機器から提供要求されたＴＶ番組の映像音声データに対する課金金額を決定し、課金手段に提供要求した外部機器に対して課金金額の課金処理を行わせた後に、送信手段に外部機器から提供要求されたＴＶ番組の映像音声データを提供要求した外部機器へ送信させる制御手段とを備える。
【０００９】
この構成を採るときに、コンテンツデータに挿入されている広告情報を削除する削除手段を備えることがあり、この場合には、送信手段は、削除手段により広告情報の削除されたコンテンツデータを外部機器に送信する。
【００１０】
また、本発明の送信方法は、以上のような送信装置を用いて実現することができる。
【００１１】
ここで、本発明のコンテンツ提供サービス装置の持つ機能は具体的にはプログラムで実現されるものであり、このプログラムは、計算機が読み取り可能な半導体メモリなどの適当な記録媒体に格納することができる。
【００１２】
更に、本発明の送受信システムは、以上のような送信装置と、送信装置から送信されたコンテンツデータを受信する受信装置とを備える。更にまた、本発明の送受信方法は、このような送受信システムを用いて実現することができる。
【００１３】
そして、課金手段は、送信手段がコンテンツデータをユーザの外部機器に送信する場合、コンテンツデータの提供先のユーザに対して課金する。このとき、課金金額は、放送時間と実際に送信する日時との間の時間的な隔たりが大きいとき高くなることがある。
【００１４】
このようにして、本発明によれば、正規の放送時間よりも先にコンテンツデータの提供を受け取ることに対して付加価値を持たせて、それにより利益を得るという新しいビジネスを確立できるようになる。
【００１５】
そして、このコンテンツデータの提供にあたって、放送時間と実際に送信する日時との間の時間的な隔たりに応じて課金を行うことで、そのビジネスを実用的なものにできるようになる。
【００１６】
更に、提供先のユーザに応じて、広告情報を削除した形でコンテンツデータを提供することでユーザに高い課金を可能にすることで、広告情報の広告依頼者から高い広告料の徴収を可能にすることで、このビジネスを実用的なものにできるようになる。
【００１７】
【発明の実施の形態】
以下、実施の形態に従って本発明を詳細に説明する。
【００１８】
図１に、本発明を実現するために用意されるシステムの一実施形態例を図示する。
【００１９】
この図に示すように、本発明は、放送局１と、番組制作会社２と、広告主となる他の企業３と、ユーザの生活する家庭４と、ユーザとなる個人５と、ユーザの乗車する車６と、情報配信会社７とで構成されるシステムにより実現されることになる。
【００２０】
この放送局１は、従来からあるＴＶ放送局と同様に、ＴＶ番組を企画し制作して、その放送を行っている。番組制作会社２は、放送局１より資金を得てＴＶ番組を作成している。他の企業３は、企業の広告を放送してもらうためにＴＶ番組のスポンサーとなって広告料を放送局１に支払っている。
【００２１】
家庭４には、ＴＶ番組を見ることのできるテレビやセットトップボックスが備えられている。個人５は、屋内や野外でＴＶ番組を見ることのできる携帯端末などを所有している。車６には、ＴＶ番組を見ることのできるカーＴＶやカーナビなどの端末が備えられている。
【００２２】
情報配信会社７は、本発明を使用してユーザにＴＶ番組を提供する処理を行うものであって、放送局１の放送するＴＶ番組をその放送前に購入して、家庭４や個人５や車６に対して、その購入したＴＶ番組を放送局１の放送する前や後に提供して、お金を徴収する。
【００２３】
このとき、家庭４や個人５や車６にある端末などは、情報配信会社７からのＴＶ番組を受信し映し出すだけではなくて、情報配信会社７に対して受信料を支払うことのできる機能を有していることが好ましい。
【００２４】
図２に、家庭４や個人５や車６にある端末などと情報配信会社７との間の接続例を図示する。
【００２５】
情報配信会社７は、映像情報などの大きなデータ量の情報を送信するので、広帯域の情報網で家庭４や個人５や車６と結ばれている。この情報網は、この図に示すように、ケーブルテレビのような有線のこともあるし、人工衛星や地上の基地局からようなの無線電波のこともある。
【００２６】
なお、家庭４や個人５や車６から情報配信会社７には、ＴＶ番組のオーダー情報などが転送されることになるが、これらの情報は映像情報よりもデータ量が少ないので、その転送を可能にする手段が用意されていればよい。
【００２７】
図３に、情報配信会社７に構築される本発明の一実施形態例を図示する。ここで、この実施形態例では、家庭４や個人５や車６に備えられる端末などをユーザ端末１０として図示してある。
【００２８】
この図に示すように、情報配信会社７には、本発明を実現すべく、ＴＶ番組データベース２０と、広告情報データベース３０と、課金表４０と、ＴＶ番組登録プログラム５０と、ＴＶ番組提供プログラム６０とが備えられる。
【００２９】
ここで、ＴＶ番組登録プログラム５０やＴＶ番組提供プログラム６０は、計算機が読み取り可能な半導体メモリなどの適当な記録媒体に格納することができる。
【００３０】
図４に、ＴＶ番組データベース２０のデータ構造の一実施形態例、図５に、広告情報データベース３０のデータ構造の一実施形態例、図６に、課金表４０のデータ構造の一実施形態例を図示する。
【００３１】
ＴＶ番組データベース２０は、図４に示すように、放送局１から購入したＴＶ番組の映像音声情報２００を管理するとともに、ＴＶ番組管理テーブル２０１を使って、それらのＴＶ番組の属性情報となる番組名や放送日時などの情報を管理する。
【００３２】
一方、広告情報データベース３０は、図５に示すように、広告依頼者から依頼を受けた広告の映像音声情報３００を管理するとともに、広告情報管理テーブル３０１を使って、それらの広告の属性情報となる広告依頼者や分類種別（女性向けの広告であるとか、年少者向けの広告であるとかいったような分類）などの情報を管理する。
【００３３】
一方、課金表４０は、図６に示すように、広告情報データベース３０に管理される各ＴＶ番組を管理対象として、そのＴＶ番組を提供するときに要求する課金金額の情報を管理する。
【００３４】
この課金金額は、この図に示すように、放送局１の放送する日時よりも前に提供する場合は、放送日時との隔たりに応じてその金額が高くなるようにと設定されたり、ＴＶ番組の人気度合い（視聴率）などに応じて、その金額が異なるようにと設定されたり、ＴＶ番組に広告情報が挿入されていないときには高い金額になるというように、ＴＶ番組に広告情報が挿入されている場合と挿入されていない場合とでその金額が異なるようにと設定されることがある。
【００３５】
また、ビデオ装置の留守番予約機能の代わりとなるようにと、放送局１による放送後にもＴＶ番組を提供するようにしているので、課金表４０では、放送局１の放送する日時よりも後に提供する場合の金額についても管理するようにしている。
【００３６】
なお、図３では図示していないが、ＴＶ番組データベース２０にＴＶ番組が登録されるときに、そのＴＶ番組についての課金金額を設定して、それを課金表４０に登録するプログラムが用意されている。
【００３７】
図７に、ＴＶ番組登録プログラム５０の実行する処理フローの一実施形態例、図８及び図９に、ＴＶ番組提供プログラム６０の実行する処理フローの一実施形態例を図示する。
【００３８】
次に、これらの処理フローに従って、本発明について詳細に説明する。最初に、ＴＶ番組登録プログラム５０の実行する処理について説明する。
【００３９】
ＴＶ番組登録プログラム５０は、規定の更新周期に到達することで起動されると、図７の処理フローに示すように、先ず最初に、ステップ１で、放送局１から、前回の更新周期と今回の更新周期との間に作成された放送予定のＴＶ番組を購入する。
【００４０】
続いて、ステップ２で、その購入したＴＶ番組の映像音声情報をＴＶ番組データベース２０に登録するとともに、ＴＶ番組管理テーブル２０１に、その購入したＴＶ番組の番組名や放送日時などの情報を登録することで、その購入したＴＶ番組をＴＶ番組データベース２０に登録する。
【００４１】
続いて、ステップ３で、ＴＶ番組データベース２０に登録されている提供期限切れのＴＶ番組を抽出する。例えば、放送局１の放送日から１か月の経過を提供期限としているときには、放送局１の放送日から１か月を経過したＴＶ番組を抽出するのである。
【００４２】
続いて、ステップ４で、その抽出した提供期限切れのＴＶ番組をＴＶ番組データベース２０から削除して、処理を終了する。
【００４３】
このようにして、ＴＶ番組登録プログラム５０は、放送局１から放送予定のＴＶ番組を取得して、それをＴＶ番組データベース２０に登録するとともに、提供期限の切れたＴＶ番組をＴＶ番組データベース２０から削除していくように処理するのである。
【００４４】
次に、ＴＶ番組提供プログラム６０の実行する処理について説明する。
【００４５】
ＴＶ番組提供プログラム６０は、ユーザ端末１０を介してユーザからＴＶ番組の提供要求が発行されると、図８及び図９の処理フローに示すように、先ず最初に、ステップ１で、ＴＶ番組データベース２０に登録されているＴＶ番組を、ユーザに提供可能なＴＶ番組としてユーザ端末１０に提示する。
【００４６】
このとき、連続ドラマのＴＶ番組のようなものについては、図１０に示すように、これまでに放送された放送分とこれから放送予定の放送分とを１つにまとめた形で提供する機能（例えば、１回目から最終回までをまとめた形で提供する機能）を有しているので、ユーザがそれを選択できるような形で提供可能なＴＶ番組を提示する処理を行う。
【００４７】
続いて、ステップ２で、その提示に応答してユーザが選択してくるＴＶ番組をユーザが提供を希望するＴＶ番組として取得するとともに、ユーザからの入力に従って、そのＴＶ番組の提供にあたって、広告情報が挿入されていてもよいのか否かの情報を取得する。
【００４８】
なお、ＴＶ番組提供プログラム６０は、ユーザから指定されるキーワードの指すＴＶ番組を検索する機能を有しているので、ユーザは、このような形で提供要求のＴＶ番組を決定する他に、この検索機能を使って提供要求のＴＶ番組を決定できるようになっている。
【００４９】
続いて、ステップ３で、その取得した情報に従って、ユーザが広告情報の挿入されていないＴＶ番組の提供を希望しているのか否かを判断して、広告情報の挿入されていないＴＶ番組の提供を希望していることを判断するときには、ステップ４に進んで、提供要求のＴＶ番組に挿入されている広告情報を削除する。すなわち、図１１（ａ）に示すように、提供要求のＴＶ番組に挿入されている広告情報を削除するのである。
【００５０】
続いて、ステップ５で、課金表４０を参照することで、広告情報の削除した提供要求のＴＶ番組に対する課金金額を決定し、続くステップ６で、提供要求発行元のユーザの銀行口座などからその決定した課金金額を引き下ろすことなどにより、ユーザに対する課金を行う。
【００５１】
続いて、ステップ７で、課金に成功したのか否かを判断して、課金に失敗したことを判断するときには、ステップ８に進んで、提供要求発行元のユーザ端末１０に対して、ＴＶ番組を提供できない旨を通知して、処理を終了する。
【００５２】
一方、ステップ７で、課金に成功したことを判断するときには、ステップ９に進んで、提供要求発行元のユーザ端末１０に対して、提供要求のＴＶ番組を提供して、処理を終了する。
【００５３】
一方、ステップ３で、ユーザが広告情報の挿入されているＴＶ番組の提供を希望していることを判断するときには、ステップ１０に進んで、提供要求のＴＶ番組に挿入する広告情報を決定する。
【００５４】
このとき挿入する広告情報は、提供要求発行元のユーザに効果的となるものであることが好ましい。
【００５５】
これを実現するには、例えば、ユーザ端末１０のＩＰアドレスなどによりユーザを特定し、契約時などに入手した情報などからそのユーザの属性情報を把握することで、広告情報データベース３０に登録されている広告情報の中から、そのユーザに効果的な広告情報を抽出（例えば、広告情報データベース３０に管理されている上述の分類情報を使って抽出）する。そして、その抽出した広告情報の中から、広告依頼者が提供要求のＴＶ番組に挿入を希望しているものを選択（複数の広告依頼者が希望している場合には、例えば高い広告料を徴収できる順番などによりに選択する）することで、提供要求のＴＶ番組に挿入する広告情報を決定するような処理を行う。
【００５６】
続いて、ステップ１１（図９の処理フロー）で、提供要求のＴＶ番組に挿入されている広告情報を、その決定した広告情報に置換する。すなわち、図１１（ｂ）に示すように、提供要求のＴＶ番組に挿入されている広告情報を、その決定した広告情報に置換するのである。
【００５７】
続いて、ステップ１２で、課金表４０を参照することで、挿入した提供要求のＴＶ番組に対する課金金額を決定し、続くステップ１３で、提供要求発行元のユーザの銀行口座などからその決定した課金金額を引き下ろすことなどにより、ユーザに対する課金を行う。
【００５８】
続いて、ステップ１４で、課金に成功したのか否かを判断して、課金に失敗したことを判断するときには、ステップ１５に進んで、提供要求発行元のユーザ端末１０に対して、ＴＶ番組を提供できない旨を通知して、処理を終了する。
【００５９】
一方、ステップ１４で、課金に成功したことを判断するときには、ステップ１６に進んで、挿入した広告情報の依頼者の銀行口座などから広告料を引き下ろすことなどにより、提供するＴＶ番組に挿入されている広告情報の広告依頼者から広告料を徴収する。
【００６０】
続いて、ステップ１７で、提供要求発行元のユーザ端末１０に対して、提供要求のＴＶ番組を提供して、処理を終了する。
【００６１】
このようにして、ＴＶ番組提供プログラム６０は、放送局１の放送する前に、ユーザからお金をとることを条件にして、ユーザにＴＶ番組を提供することを実現するのである。そして、ビデオ装置の留守番予約機能の代わりができるようにするために、放送局１の放送した後に、ユーザからお金をとることを条件にして、ユーザにＴＶ番組を提供することを実現するのである。
【００６２】
このように、情報配信会社７は、放送局１による放送よりも前にＴＶ番組を提供することで利益を得るというという新しいビジネスを確立できるようになる。そして、放送局１は、この情報配信会社７のビジネスを通して、これから放送するＴＶ番組の視聴率を予測することができ、これにより、そのＴＶ番組の内容を変更したり、そのＴＶ番組を放送する際に徴収する広告料を妥当な形で決定できるようになる。
【００６３】
以上に説明した実施形態例では、放送局１による放送の前や後にＴＶ番組をユーザに提供するという構成について開示したが、本発明は電子化された出版情報や音楽やゲームなどのように、発売時期が決められている他のコンテンツデータに対しもそのまま提供できる。
【００６４】
この場合には、図１２に示すように、情報配信会社７は、電子化された出版情報や音楽やゲームなどを制作する制作会社８からコンテンツデータを購入して、家庭４や個人５や車６に対して、その購入したコンテンツデータを発売時期の前や後に提供して、お金を徴収することになる。
【００６５】
また、電子化された出版情報などを扱うときには、ＴＶ番組などのように放送日時が決められている訳ではないが、ＴＶ番組を取り扱うときと同様にして、図１３に示すように、発売日の異なる雑誌に記載されている同じタイトルのマンガなどを１つにまとめた形で提供する機能を持つことになる。
【００６６】
図示実施形態例に従って本発明を説明したが、本発明はこれに限定されるものではない。例えば、実施形態例では、ユーザが個々のＴＶ番組をオーダーすることでその提供を受けることで説明したが、通常のＴＶ番組のように、規定の提供スケジュールに従って放送局１の放送前や後にユーザに提供するという方法を用いることでもよい。
【００６７】
【発明の効果】
以上説明したように、本発明によれば、標準的な放送時間よりも先にコンテンツデータの提供を受け取ることに対して付加価値を持たせて、それにより利益を得るという新しいビジネスを確立できるようになる。
【００６８】
そして、このコンテンツデータの提供にあたって、放送時間と実際に送信する日時との間の時間的な隔たりに応じた課金を行うことで、そのビジネスを実用的なものにできるようになる。
【００６９】
更に、提供先のユーザに応じて、広告情報を削除した形でコンテンツデータを提供することでユーザに高い課金を可能することで、広告情報の広告依頼者から高い広告料の徴収を可能にすることで、このビジネスを実用的なものにできるようになる。
【００７０】
このようにして、本発明によれば、ユーザは、放送時間よりも早くＴＶ番組などのコンテンツデータの提供を受けることができるようになる。そして、コンテンツデータの制作会社は、このビジネスにより新たな利益を受けることができることで、更に良いコンテンツデータを制作できるようになる。そして、コンテンツデータを提供する情報配信会社は、コンテンツデータの人気をその放送時間よりも前に正確に集計できるようになる。
【図面の簡単な説明】
【図１】  本発明を実現するために用意されるシステムの一実施形態例である。
【図２】  本発明を実現するために用意されるシステムの説明図である。
【図３】  本発明の一実施形態例である。
【図４】  ＴＶ番組データベースのデータ構造の一実施形態例である。
【図５】  広告情報データベースのデータ構造の一実施形態例である。
【図６】  課金表のデータ構造の一実施形態例である。
【図７】  ＴＶ番組登録プログラムの実行する処理フローの一実施形態例である。
【図８】  ＴＶ番組提供プログラムの実行する処理フローの一実施形態例である。
【図９】  ＴＶ番組提供プログラムの実行する処理フローの一実施形態例である。
【図１０】  ＴＶ番組提供プログラムの実行する処理の説明図である。
【図１１】  ＴＶ番組提供プログラムの実行する処理の説明図である。
【図１２】  本発明を実現するために用意されるシステムの他の実施形態例である。
【図１３】コンテンツデータの提供処理の説明図である。
【符号の説明】
１ 放送局、２ 番組制作会社、３ 他の企業、４ 家庭、５ 個人、６ 車、７ 情報配信会社、１０ ユーザ端末、２０ ＴＶ番組データベース、３０ 広告情報データベース、４０ 課金表、５０ ＴＶ番組登録プログラム、６０ ＴＶ番組提供プログラム、
【図１】
0004442005.tif 000002
【図２】
0004442005.tif 000003
【図３】
0004442005.tif 000004
【図４】
0004442005.tif 000005
【図５】
0004442005.tif 000006
【図６】
0004442005.tif 000007
【図７】
0004442005.tif 000008
【図８】
0004442005.tif 000009
【図９】
0004442005.tif 000010
【図１０】
0004442005.tif 000011
【図１１】
0004442005.tif 000012
【図１２】
0004442005.tif 000013
【図１３】
0004442005.tif 000014